(57)【要約】      （修正有）【課題】補修作業をより短時間にできる補修手段を利用できる、桟構造を備えた乗客コンベアの踏段を提供する。【解決手段】側面に一定間隔で垂直方向の刻み４を設けた複数の桟１の頂部面の集合体により形成された踏面２とし、桟に欠損するほどの負荷がかかった時に，応力集中した刻み部分に沿って欠損することにより，欠損部分を補填するピースと同一形状とし，欠損部分をピースの形状に合わせて削る作業を不要とする。また、隣り合う桟１の刻みの位置をずらし千鳥状に配設したことにより弱い方の桟１のみが欠損することで，隣り合う桟１が両方とも欠損することがなくなる。【選択図】図１
2011051758.tif 000002
【特許請求の範囲】
【請求項１】
間隔をおいて平行に立設された複数の桟の頂面部の集合体で形成される踏面を有する乗客コンベアの踏段において，前記複数の桟の側面に一定間隔で垂直方向の刻みを形成したことを特徴とする乗客コンベアの踏段。
【請求項２】
隣り合う桟の刻みの位置をずらし千鳥状に配設するように構成したことを特徴とする請求項１に記載の乗客コンベアの踏段。
【発明の詳細な説明】
【技術分野】
【０００１】
この発明は，欠損した際の補修作業を容易とした乗客コンベアの踏段に関する。
【背景技術】
【０００２】
この種の公知技術としては，桟の欠損部分にコ字状の薄肉の補修整形補助具を被せて接着固定し，補修整形補助具に設けた注入口から流動状態の硬質合成樹脂材を充填して補修整形体を成形する乗客コンベアの踏段が開示されている（特許文献１参照）。
【先行技術文献】
【特許文献】
【０００３】
【特許文献１】特開２００２−４６９６９公報
【発明の概要】
【発明が解決しようとする課題】
【０００４】
上記のような乗客コンベアの踏段においては，図６および図７に図示される一般的なアルミ材で成形される踏面２の桟１に対して，欠損部分３に樹脂材を埋めることによって補修しているため，補修部分の強度が劣るという問題があった。
【０００５】
そこで，欠損部分３を元々の桟１の材質と同じアルミ材にて補修する場合，流動状態のアルミを充填するには，アルミ材が溶けるほど高温に熱することと，これほどの高温でも変形しない補修整形補助具を欠損部分３に設置する必要があり，設備の運搬，作業時間を考慮すると現地での補修作業は実質的に不可能である。
【０００６】
よって，欠損部分３を補填するピース状のアルミ材を用意し，ピースの形状に合わせて欠損部分３を削り，接着剤を塗布したピース状のアルミ材を削った欠損部分３に嵌め込み補修する方法が現実的である。しかし，この方法では，不規則な形の欠損部分３に対して，決まった形状のピースに合わせて欠損部分３を削る作業に長時間を要するという問題があった。
【０００７】
この発明は，かかる問題を解消するためになされたものであり，その目的は、元々の踏面の桟と同一の材質によりほぼ同等の強度を得る補修方法を，短時間で作業を可能とする形状の桟で形成した踏段を提供することにある。
【課題を解決するための手段】
【０００８】
上記目的を達成するため，この請求項１に記載の発明は，間隔をおいて平行に立設された複数の桟の頂面部の集合体で形成される踏面を有する乗客コンベアの踏段において，前記複数の桟の側面に一定間隔で垂直方向の刻みを形成したことを特徴とする。
【０００９】
また，請求項２に記載の発明は，請求項１に記載の発明において，隣り合う桟の刻みの位置をずらして千鳥状に配設するように構成したことを特徴とするものである。
【発明の効果】
【００１０】
以上のように，請求項１に記載の発明によれば，桟に欠損するほどの負荷がかかった時に，応力集中した刻み部分に沿って欠損するため，欠損部分が補填するピースと同一形状となるため，欠損部分をピースの形状に合わせて削る作業が不要となるため作業時間を短時間にできるという効果がある。
【００１１】
また，請求項２に記載の発明によれば，隣り合う桟の刻みの位置をずらし千鳥状に配設したことにより，隣り合う桟と桟との間に異物が挿入されて桟に欠損するほどの負荷がかかった場合に，隣り合う桟に対して，刻み部分にかかる応力が異なるため，弱い方の桟のみが欠損することで，隣り合う桟が両方とも欠損することがなく，欠損部位の領域を最少限に留めるができ，欠損部に挟まれるリスクを軽減するとともに，補修作業時間をより短時間にできるという効果がある。
【図面の簡単な説明】
【００１２】
【図１】実施例１の踏段の一部分を示す斜視図である。
【図２】図１のＡから見た平面図である。
【図３】図１のＢから見た平面図である。
【図４】図１のＣから見た欠損前の桟を示す平面図である。
【図５】図１のＣから見た欠損後の桟の状態を平面図である。
【図６】従来の踏段の一部分を示す斜視図である。
【図７】図６のＡから見た平面図である。
【発明を実施するための形態】
【００１３】
以下，本発明の一実施の形態を，図１〜図５により説明する。
【００１４】
図１はこの発明の実施例１の踏段の一部分を示す斜視図，図２〜図５は，それぞれ図１のＡ〜Ｃから見た平面図で，図２〜３は，踏段の踏面を形成する桟と桟との間に異物が挟まった状態を示す図，図４は，欠損前の桟を示す図，図５は，欠損後の桟の状態を示す図である。尚，各図中，同一符号は同一又は相当部分を示す。
【００１５】
図１において，複数の桟１は、間隔をおいて平行に立設されており、この桟１の頂面部の集合体が踏面２で，この踏面２は踏段の上面であり乗客が足を乗せる部分となる。
【００１６】
なお、複数の桟１の各下部の間には底部７が形成されている。
【００１７】
４は桟１の側面に一定の間隔で垂直方向に形成された刻み，５は桟１ａと隣り合う桟１ｂとの間に挟まれる異物となるハイヒールの踵，６は刻み４に合わせて欠けた欠損部分である。
【００１８】
ところで女性の乗客が履くハイヒールの踵５は、接地する先端部分が細くなり、先端部から離れるほど太くなる形状をしている。
【００１９】
エスカレーターに代表される乗客コンベアにおいて，上記ハイヒールの踵５の先端部分のサイズが，隣り合う桟１ａと桟１ｂとの隙間寸法よりも小さい場合は、その先端部分が桟１ａと桟１ｂとの間に入り込み、太くなってくる部位で桟１ａと桟１ｂを押し開き、踵５の先端部分が底部７に到達する前に，桟１は折れて欠損する。
【００２０】
この時，桟１の側面に設けた刻み４に応力が集中するため，桟１が刻み４に沿って亀裂して脱落することで，欠損部分６が形成される。
【００２１】
予め想定されていた欠損部分６の形状に合った図示しない補修用のピースを用意しておき，これを欠損部分６に嵌め込み接着することで，欠損部分６を削る作業を要することなく短時間で欠損部分６の補修作業を行うことができる。
【００２２】
また，図２に示すように，桟１ａの刻み４ａと桟１ｂの刻み４ｂの位置をずらして形成すれば，踵５の挿入によりかかる荷重が欠損する２辺に対して，より均等に荷重がかかる側の方が折れやすくなるため，図３のように桟１ｂ側のみが折損する。
【００２３】
これにより，隣接する桟１ａ，１ｂの間に挿入された踵５によって，桟１ａ，１ｂの両方ともが欠損することがないため，補修箇所が１ケ所で済み，欠損状態での稼動において乗客が図示しない乗降口のクシ部と，踏段の底面７とに挟まれるリスクを少なくするとともに，補修作業時間をより短くすることができる。
【００２４】
なお、上記実施例では、ハイヒールの踵５を例に取り説明したが、桟１ａ，１ｂ間に入り込む形状であれば、傘の先などのどのような異物でも、同様の効果が得られることは言うまでもない。
【符号の説明】
【００２５】
１  桟
２  踏面
４  刻み
５  ハイヒールの踵
６  欠損部分
７  底部
【図１】
2011051758.tif 000003
【図２】
2011051758.tif 000004
【図３】
2011051758.tif 000005
【図４】
2011051758.tif 000006
【図５】
2011051758.tif 000007
【図６】
2011051758.tif 000008
【図７】
2011051758.tif 000009